(57)【要約】    【課題】      シャドウイング現象が発生した場合でも、呼切断に至る場合を少なくすること。    【解決手段】  移動局１００では、速度算出部１１４がＧＰＳ受信機１１１またはベースバンド信号処理部１１２の信号から移動局１００の移動速度を算出する。ハンドオーバ制御部１１６では、速度算出部１１４からの自装置の移動速度と、下り通信品質測定部１１５からの下り通信品質と、記憶装置１１７，１１８からのハンドオーバ制御用及びシャドウイング判定用の各パラメータとを比較し、シャドウイング現象が発生した場合、移動局１００が低速の場合、モニタ中の基地局１４０へのハンドオーバを行う。これに対し、シャドウイング現象が発生した場合に、移動局１００が高速の場合、ハンドオーバ制御を行わず、今まで通信をしていた基地局１３０と再接続する。  【選択図】      図１
2005244726.tif 000002
【特許請求の範囲】
【請求項１】
シャドウイング現象の発生の有無を判定する判定手段と、
自装置の移動速度を検出する検出手段と、
シャドウイング現象が発生したと判定された場合、検出された移動速度に基づいてハンドオーバ制御を行うハンドオーバ制御手段と、
を有することを特徴とする通信端末装置。
【請求項２】
通信品質を測定する測定手段、をさらに有し、
前記判定手段は、
測定された通信品質に基づいてシャドウイング現象の発生の有無を判定する、
ことを特徴とする請求項１記載の通信端末装置。
【請求項３】
ＧＰＳ衛星からの測位情報を受信するＧＰＳ受信手段、をさらに有し、
前記検出手段は、
受信された測位情報に基づいて自装置の移動速度を検出する、
ことを特徴とする請求項１記載の通信端末装置。
【請求項４】
前記判定手段は、
測定された通信品質が所定時間内に所定品質以下に低下した場合、シャドウイング現象が発生したと判定する、
ことを特徴とする請求項２記載の通信端末装置。
【請求項５】
前記所定時間および前記所定品質は、基地局からの報知情報によって更新可能である、
ことを特徴とする請求項４記載の通信端末装置。
【請求項６】
前記ハンドオーバ制御手段は、
シャドウイング現象が発生したと判定された場合において、検出された移動速度が所定速度よりも小さいときは、通信先を現在通信中の基地局から他の基地局へ切り替えるハンドオーバ制御を行い、検出された移動速度が前記所定速度以上のときは、現在通信中の基地局との接続を継続し、通信先の基地局を切り替えるハンドオーバ制御を行わない、
ことを特徴とする請求項１記載の通信端末装置。
【請求項７】
前記所定速度は、基地局からの報知情報によって更新可能である、
ことを特徴とする請求項６記載の通信端末装置。
【請求項８】
通信端末装置に用いられるハンドオーバ制御用のプログラムであって、
通信品質を測定する機能と、
自装置の移動速度を検出する機能と、
測定した通信品質に基づいてシャドウイング現象の発生の有無を判定する機能と、
シャドウイング現象が発生したと判定した場合、検出した移動速度に基づいてハンドオーバ制御を行う機能と、
をコンピュータに実行させることを特徴とするプログラム。
【請求項９】
請求項８記載のプログラムを格納したことを特徴とする記録媒体。
【請求項１０】
請求項９記載の記録媒体が装着され、その記録媒体からプログラムをインストールして実行することを特徴とする通信端末装置。
【請求項１１】
シャドウイング現象の発生の有無を判定する判定ステップと、
通信端末装置の移動速度を検出する検出ステップと、
シャドウイング現象が発生したと判定した場合、検出した移動速度に基づいてハンドオーバ制御を行うハンドオーバ制御ステップと、
を有することを特徴とする無線通信方法。
【発明の詳細な説明】
【技術分野】
【０００１】
本発明は、複数の基地局と無線通信回線を介して通信を行う通信端末装置に関し、高層ビル等による物理的な影響で受信電界が急激に変動するシャドウイング現象が発生した場合に、なるべく呼切断にならないようにハンドオーバ制御を実行する技術に関する。
【背景技術】
【０００２】
通信端末装置が基地局との通信中に他の基地局への通信を切り替えるハンドオーバ制御を行う場合、今まで通信をしていた基地局からの報知情報内のスクランブルコードと呼ばれる基地局の電波方位（セクタ）を同定するための下り拡散コードの下り通信品質を測定することでハンドオーバ先の基地局を決定する。このハンドオーバ制御方式に加えて、ＧＰＳによる位置情報を利用して、シャドウイング現象が予測される地域情報を予め取得しておき、自装置の位置情報と比較することによってそれを回避するハンドオーバ制御を実行する従来技術がある（例えば、特許文献１参照）。
【特許文献１】特開平１１−６９４１１号公報
【発明の開示】
【発明が解決しようとする課題】
【０００３】
しかしながら、前述の従来技術では、通信端末装置が基地局との通信中に、受信電界が急激に変動する都市部などにおいて高層ビルなどの物理的な要因による対数正規シャドウイング現象等のシャドウイング現象が発生した場合、通信端末装置が低速で移動していると、通信が異常切断される場合が起こる。このような場合、その無線チャネルを再度選択して通信の回復を行う再接続制御を行っても、通信の回復が不可能になり、呼切断に至る現象が発生していた。
【０００４】
本発明は、かかる点に鑑みてなされたものであり、シャドウイング現象が発生した場合でも、呼切断に至る場合を少なくすることができる通信端末装置を提供することを目的とする。
【課題を解決するための手段】
【０００５】
本発明の通信端末装置は、シャドウイング現象の発生の有無を判定する判定手段と、自装置の移動速度を検出する検出手段と、シャドウイング現象が発生したと判定された場合、検出された移動速度に基づいてハンドオーバ制御を行うハンドオーバ制御手段と、を有する、構成を採る。
【０００６】
この構成によれば、シャドウイング現象が発生した場合、移動速度に基づいてハンドオーバ制御を実行するため、シャドウイング現象が発生した場合でも、呼切断に至る場合を少なくすることができる。
【０００７】
本発明の通信端末装置は、前記構成において、通信品質を測定する測定手段、をさらに有し、前記判定手段は、測定された通信品質に基づいてシャドウイング現象の発生の有無を判定する、構成を採る。
【０００８】
この構成によれば、シャドウイング現象が発生した場合、通信端末装置側にて通信品質を測定して、移動速度に基づいてハンドオーバ制御を実行することができる。
【０００９】
本発明の通信端末装置は、前記構成において、ＧＰＳ衛星からの測位情報を受信するＧＰＳ受信手段、をさらに有し、前記検出手段は、受信された測位情報に基づいて自装置の移動速度を検出する、構成を採る。
【００１０】
この構成によれば、通信端末装置では、ＧＰＳ衛星からの測位情報に基づいて求めた移動速度に基づいてハンドオーバ制御を実行するため、正確な移動速度に基づいてハンドオーバ制御を実行することができる。
【００１１】
本発明の通信端末装置は、前記構成において、前記判定手段は、測定された通信品質が所定時間内に所定品質以下に低下した場合、シャドウイング現象が発生したと判定する、構成を採る。
【００１２】
この構成によれば、簡単にシャドウイング現象の発生を判定できる。
【００１３】
本発明の通信端末装置は、前記構成において、前記所定時間および前記所定品質は、基地局からの報知情報によって更新可能である、構成を採る。
【００１４】
この構成によれば、シャドウイング判定用の所定時間および所定品質は更新可能となるため、通信端末装置毎にシャドウイング現象の有無の判定基準を変更することができ、基地局の地域的な特徴に合わせた調整が可能となる。
【００１５】
本発明の通信端末装置は、前記構成において、前記ハンドオーバ制御手段は、シャドウイング現象が発生したと判定された場合において、検出された移動速度が所定速度よりも小さいときは、通信先を現在通信中の基地局から他の基地局へ切り替えるハンドオーバ制御を行い、検出された移動速度が前記所定速度以上のときは、現在通信中の基地局との接続を継続し、通信先の基地局を切り替えるハンドオーバ制御を行わない、構成を採る。
【００１６】
この構成によれば、シャドウイング現象が発生した場合、移動速度に基づいてハンドオーバ制御を実行するため、呼切断に至る場合を少なくすることができ、無線通信システム全体の通信品質の向上と負荷の低減を図ることが可能となる。
【００１７】
本発明の通信端末装置は、前記構成において、前記所定速度は、基地局からの報知情報によって更新可能である、構成を採る。
【００１８】
この構成によれば、ハンドオーバ制御用の所定速度が更新可能となるため、通信端末装置毎にハンドオーバ制御を行う際の移動速度の閾値を変更することができ、基地局の地域的な特徴に合わせた調整が可能となる。
【００１９】
本発明のプログラムは、通信端末装置に用いられるハンドオーバ制御用のプログラムであって、通信品質を測定する機能と、自装置の移動速度を検出する機能と、測定した通信品質に基づいてシャドウイング現象の発生の有無を判定する機能と、シャドウイング現象が発生したと判定した場合、検出した移動速度に基づいてハンドオーバ制御を行う機能と、をコンピュータに実行させるようにした。
【００２０】
このプログラムによれば、シャドウイング現象が発生した場合、移動速度に基づいてハンドオーバ制御を実行するため、シャドウイング現象が発生した場合でも、呼切断に至る場合を少なくすることをソフトウエアにより提供することができる。
【００２１】
本発明の記録媒体は、前記プログラムを格納した構成を採る。
【００２２】
この構成によれば、シャドウイング現象が発生した場合でも、呼切断に至る場合を少なくするプログラムをＣＤ−ＲＯＭやメモリカード等の記録媒体により提供することができ、また不揮発性の記録媒体により電源を供給しなくても記憶したプログラムが消去されないようにすることができる。
【００２３】
本発明の通信端末装置は、前記記録媒体が装着され、その記録媒体からプログラムをインストールして実行する、構成を採る。
【００２４】
この構成によれば、通信端末装置にＣＤ−ＲＯＭやメモリカード等を記録した記録媒体を装着してそのプログラムをインストールすることにより、シャドウイング現象が発生した場合でも、呼切断に至る場合を少なくさせることが記録媒体を介したプログラムの実行により可能になり、また、そのプログラムのバージョンアップ等が容易にできる。
【００２５】
本発明の無線通信方法は、シャドウイング現象の発生の有無を判定する判定ステップと、通信端末装置の移動速度を検出する検出ステップと、シャドウイング現象が発生したと判定した場合、検出した移動速度に基づいてハンドオーバ制御を行うハンドオーバ制御ステップと、を有するようにした。
【００２６】
この方法によれば、シャドウイング現象が発生した場合、移動速度に基づいてハンドオーバ制御を実行するため、シャドウイング現象が発生した場合でも、呼切断に至る場合を少なくすることができる。
【発明の効果】
【００２７】
以上説明したように、本発明によれば、シャドウイング現象が発生した場合でも、呼切断に至る場合を少なくすることができる。
【発明を実施するための最良の形態】
【００２８】
以下、本発明の一実施の形態について、図面を参照して詳細に説明する。
【００２９】
図１は、本発明の一実施の形態に係る通信端末装置を含む移動通信システムの構成を示すブロック図である。なお、通信端末装置は、以下の説明および図面では、移動局という。
【００３０】
図１において、この移動局１００は、送受信部１１０、ＧＰＳ受信機１１１、ベースバンド信号処理部１１２、位置算出部１１３、速度算出部１１４、下り通信品質測定部１１５、ハンドオーバ制御部１１６、ハンドオーバ制御用パラメータ記憶装置１１７、シャドウイング判定用パラメータ記憶装置１１８を有している。
【００３１】
なお、図１では、移動局１００と基地局１３０との間は通信中状態にあり、通信データ１２０を送受信している一方、基地局１４０との間はモニタ状態にあることを示している。また、実施の形態１におけるＧＰＳ受信機１１１が本発明のＧＰＳ受信手段に相当し、速度算出部１１４が本発明の検出手段に相当し、下り通信品質測定部１１５が測定手段に相当し、ハンドオーバ制御部１１６が本発明の判定手段およびハンドオーバ制御手段に相当する。
【００３２】
図２は、移動局１００が低速で移動中の場合の基地局１３０、１４０との通信状態を示す説明図である。実施の形態１は、移動局１００の移動速度が低速と高速の２つの場合を考え、図２は移動局１００が低速で移動中の場合を示す。
【００３３】
移動局１００がＰ１地点からＰ２地点へ移動する場合に、Ｐ１地点を移動中の移動局１００は基地局１３０と通信中であり、基地局１４０はモニタ中である。移動局１００は、移動経路にしたがってＰ２地点方向へ移動し、Ｐ２地点を移動中の移動局１００は高層ビル２００によって移動局１００との通信に異常切断が発生する。
【００３４】
すると、移動局１００では、ハンドオーバ制御部１１６が後述するようにシャドウイング判定を行う。この場合、シャドウイング現象と判定した場合には、移動局１００の移動速度が低速であるため、基地局１３０への再接続制御の失敗が予想され、通信回復の可能性が低い。そこで、モニタ中の基地局１４０へのハンドオーバ制御を行い通信の回復を図る。
【００３５】
図３は、移動局１００が高速で移動中の場合の基地局１３０、１４０との通信状態を示す説明図である。
【００３６】
移動局１００がＰ１地点からＰ２地点を経由してＰ３地点へ移動する場合に、Ｐ１地点を移動中の移動局１００は基地局１３０と通信中であり、基地局１４０はモニタ中である。移動局１００は移動経路にしたがってＰ２地点方向へ移動し、Ｐ２地点を移動中の移動局１００は高層ビル２００によって移動局１００との通信に異常切断が発生する。
【００３７】
すると、移動局１００では、ハンドオーバ制御部１１６がシャドウイング判定を行い、判定結果はシャドウイング現象と判明した。しかし、移動局１００の移動速度が高速であるため、基地局１３０への再接続制御の成功により、通信回復の可能性が高いことから、図２に示す低速移動中の場合の制御とは異なり、モニタ中の基地局１４０へのハンドオーバ制御を行わず、今まで通信をしていた基地局１３０との通信を継続する。
【００３８】
これにより、移動局１００がＰ２地点からＰ３地点へ移動する際に、再接続制御により基地局１３０との通信状態が回復して、基地局１３０を介した通信が可能となる。
【００３９】
図４は、シャドウイング判定用のパラメータを示す説明図である。図４は、図２、図３に示すＰ１、Ｐ２、Ｐ３地点での基地局１３０及び基地局１４０の下り通信品質と、シャドウイング判定用のパラメータとの関係を示している。
【００４０】
図４において、Ｔｓｈはシャドウイング判定用の時間パラメータである所定時間、Ｑｓｈはシャドウイング判定用の下り通信品質パラメータである所定品質である。実施の形態１では、ハンドオーバ制御部１１６がシャドウイング現象であると判定する条件は、所定時間Ｔｓｈ内に、下り通信品質が所定品質Ｑｓｈ以下に低下した場合、下り通信品質の劣化が発生した場合と定義する。
【００４１】
なお、図４では、基地局１３０との間の通信の場合に所定時間Ｔｓｈ内に下り通信品質が所定品質Ｑｓｈ以下に低下し、基地局１３０との間の通信にシャドウイング現象が発生することを示している。
【００４２】
また、下り通信品質パラメータである所定品質Ｑｓｈの値を、シャドウイング現象が発生する場合より若干低めに設定することにより、シャドウイング現象が発生する前でも、シャドウイング現象の発生とみなして処理することが可能となる。このようにすれば、シャドウイング現象が発生しそうな場合も、移動局１００の移動速度に基づいてハンドオーバ制御を実行することが可能となる。
【００４３】
図５は、移動速度判定用パラメータを示す説明図である。図５は、図２、図３に示すＰ１〜Ｐ３地点での移動局１００の移動速度が低速、高速の場合と、移動速度判定用パラメータとの関係を示している。
【００４４】
図５において、Ｖｓｈはハンドオーバ制御用の移動速度パラメータ閾値である所定速度であり、５１は移動局１００の移動速度が所定速度Ｖｓｈより高速の場合、５２は移動局１００の移動速度が所定速度Ｖｓｈより低速の場合を示している。シャドウイング現象発生時、移動局１００の移動速度がシャドウイング判定用の所定時間Ｖｓｈより小さい場合であれば、現在通信している基地局１３０との回復制御は通信の切断を起こす可能性ありと判断して、通信中以外の基地局のうちで一番感度のよい基地局１４０とのハンドオーバ制御を行う。
【００４５】
これに対し、移動局１００の移動速度がハンドオーバ制御用の所定速度Ｖｓｈ以上の場合は、移動速度が速いので、現在シャドウイング現象発生の原因となっている高層ビル２００等は直ぐに通過してシャドウイング現象は解消し、現在通信している基地局１３０との回復制御が可能であると判断して、今まで通信をしていた基地局との通信を継続するようにハンドオーバ制御を行う。
【００４６】
なお、ハンドオーバ制御用パラメータ記憶装置１１７、およびシャドウイング判定用パラメータ記憶装置１１８は、それぞれ、書き換え可能な記憶装置であって、ハンドオーバ制御用のパラメータである所定速度Ｖｓｈ、シャドウイング判定用のパラメータである所定時間Ｔｓｈ及び所定品質Ｑｓｈを書き換え可能に記憶しており、または基地局１３０，１４０からの報知情報によって更新可能になっている。これにより、移動局１００毎にシャドウイング現象の有無の判定基準や、ハンドオーバ制御時の判定基準を変更することができ、基地局１３０，１４０の地域的な特徴に合わせたパラメータ調整が可能となる。
【００４７】
次に、このように構成された移動局１００の動作について、図を参照して説明する。
【００４８】
図６は、図２および図３に示す通信状態における移動局１００の全体動作を示すフローチャートである。
【００４９】
まず、移動局１００がＰ１地点を移動しており（Ｓ１０００）、移動局１００がＰ１地点では、基地局１３０と通信中であり、基地局１４０はモニタ中であるとする（Ｓ１０１０）。
【００５０】
移動局１００がＰ１地点からＰ２地点へ移動した際（Ｓ１０２０）、高層ビル等の影響により通信が異常切断状態へ移行すると（Ｓ１０３０）、異常切断が発生したので、移動局１００は、シャドウイング現象の判定を開始する（Ｓ１０４０）。
【００５１】
つまり、移動局１００では、送受信部１１０が基地局１３０からの通信データ１２０を受信して、ベースバンド信号処理部１１２がベースバンド信号を処理して、下り通信品質測定部１１５がそのベースバンド信号に基づいて下り通信品質を算出する。
【００５２】
また、ＧＰＳ受信機１１１は、ＧＰＳ衛星からの測位情報を受信して自装置の位置情報を算出して、位置算出部１１３および速度算出部１１４へ出力する。位置算出部１１３では、ＧＰＳ受信機１１１の信号に基づいて自装置の位置を算出して、ハンドオーバ制御部１１６へ出力する。
【００５３】
速度算出部１１４は、ＧＰＳ受信機１１１からの自装置の位置情報、あるいはベースバンド信号処理部１１２からのベースバンド信号を選択的に使用して自装置の移動速度を算出し、ハンドオーバ制御部１１６へ出力する。ここで、簡単に速度算出部１１４が自装置の移動速度を算出する方法を説明しておく。一つは、ＧＰＳ受信機１１１のＧＰＳ位置情報から自装置速度を算出する方法がある。この方法は、ある任意時間に移動した距離を、ＧＰＳ位置情報から求めて、それをその間に要した時間により除算することにより簡単に求める。このように、ＧＰＳ衛星からの測位情報を受信して自装置の位置情報を算出することにより、確実にハンドオーバ制御の性能を向上させることができる。
【００５４】
また他に、ベースバンド信号処理部１１２のベースバンド信号から求める方法がある。この方法は、例えば、ベースバンド信号より周辺基地局とのハンドオーバ回数等を検出して、移動局１００の移動速度を算出する。このように、ベースバンド信号処理部１１２からのベースバンド信号に基づいて自装置の移動速度を算出することにより、簡単に自装置の移動速度を算出し、自装置の移動速度に基づくハンドオーバ制御が可能となり、ＧＰＳ受信機１１１を設けて位置を検出しなくても簡単にハンドオーバ制御の性能を向上させることができる。
【００５５】
また、シャドウイング現象が発生した場合に、ベースバンド信号またはＧＰＳ位置信号のどちらか感度の良い方を使用して速度を算出するようにすれば、シャドウイング現象が発生しても、より確実に移動局１００の移動速度を算出することが可能となる。
【００５６】
なお、速度算出部１１４は、ＧＰＳ受信機１１１からの自装置の位置情報と、ベースバンド信号処理部１１２からのベースバンド信号との両方を同時に用いて、移動局１００の移動速度を算出するようにしても良い。このようにすれば、両方の信号に基づいてそれぞれ演算を行い、演算結果により算出した速度を補正等するようにすれば、より正確に移動局１００の移動速度を算出することが可能となる。
【００５７】
そして、ハンドオーバ制御部１１６では、位置算出部１１３及び速度算出部１１４及び下り通信品質測定部１１５からそれぞれ、移動局１００の位置情報、移動局１００の移動速度、下り通信品質を入力すると共に、下り通信品質とハンドオーバ制御用パラメータ記憶装置１１７及びシャドウイング判定用パラメータ記憶装置１１８からそれぞれ、所定速度Ｖｓｈ、所定時間Ｔｓｈ、所定品質Ｑｓｈを読み出して、シャドウイング現象の判定を行い、状況に応じたハンドオーバ制御を行う。
【００５８】
具体的には、ハンドオーバ制御部１１６は、シャドウイング判定用の所定時間Ｔｓｈ内に、下り通信品質が所定品質Ｑｓｈ以下に低下するか否かを判定する（Ｓ１０５０）。このように、下り通信品質測定部１１５が基地局との間の下り通信品質を随時モニタリングし、シャドウイング判定用の所定時間Ｔｓｈ以内に、下り通信品質が所定品質Ｑｓｈ以下に低下した場合に、シャドウイング現象と判断することにより、シャドウイング現象を瞬時に判断して、異常切断を減少させることが可能となる。
【００５９】
ここで、下り通信品質が所定時間Ｔｓｈ内に、所定品質Ｑｓｈ以下に低下した場合（Ｓ１０５０：ＹＥＳ）、ハンドオーバ制御部１１６はシャドウイング現象であると判断して、続いて、移動局１００の移動速度が所定速度Ｖｓｈより小さいか否かを判定する（Ｓ１０６０）。
【００６０】
このステップＳ１０６０の判断処理で、移動局１００の移動速度が所定速度Ｖｓｈより小さいと判断した場合（Ｓ１０６０：ＹＥＳ）、移動速度が遅く、今まで通信をしていた基地局１３０への再接続制御でも通信の回復が見込めないと判断して、基地局１４０へのハンドオーバ制御を行う（Ｓ１０７０）。そのため、移動局１００が基地局１４０へのハンドオーバ制御を行い、基地局１４０との通信中へ移行する（Ｓ１０８０）。これにより、基地局１４０へハンドオーバされるので、シャドウイング現象発生時の異常切断を減少させることができ、無線通信システム全体の通信品質の向上と負荷の低減を図ることができる。
【００６１】
その一方、ステップＳ１０６０の判断で、移動局１００の移動速度がハンドオーバ制御用の所定速度Ｖｓｈ以上と判断した場合（Ｓ１０６０：ＮＯ）、移動速度が速いため、今まで通信をしていた基地局１３０への再接続制御で通信が回復できると判断する（Ｓ１０９０）。そのため、基地局１４０へのハンドオーバ制御は行わず、基地局１３０との通信を継続する（Ｓ１１００）。この再接続制御により通信が回復し（Ｓ１１１０）、基地局１３０との通信が継続することになる（Ｓ１１２０）。これにより、基地局１４０へはハンドオーバされず、基地局１３０との通信が直ぐに回復するので、シャドウイング現象発生時の異常切断を減少させることができ、無線通信システム全体の通信品質の向上と負荷の低減を図ることができる。
【００６２】
なお、ステップＳ１０５０の判断で、シャドウイング判定用の所定時間Ｔｓｈ内に下り通信品質が所定品質Ｑｓｈ以下に低下していないと判断した場合（Ｓ１０５０：ＮＯ）、ハンドオーバ制御部１１６はシャドウイング現象ではなく、他の事象が原因と判断する（Ｓ１１３０）。そのため、基地局１３０との通信を継続することになる（Ｓ１１４０）。
【００６３】
図７に、移動局１００が低速で移動中の場合にシャドウイング現象が発生した場合のハンドオーバ制御部１１６の動作を示す。なお、図７に示す処理において、図６に示す全体動作と同じ処理には、同じステップ番号を付して説明する。
【００６４】
まず、移動局１００が低速で移動中の場合に、Ｐ１地点にて、移動局１００が基地局１３０とは通信中で、基地局１４０とはモニタ状態にある場合に、Ｐ２地点にて下り通信品質測定部１１５が下り通信品質に基づいて異常切断が発生する（Ｓ１０３０）。すると、ハンドオーバ制御部１１６は、シャドウイング判定用の所定時間Ｔｓｈと、所定品質Ｑｓｈとに基づいてシャドウイング現象の発生を判断して（Ｓ１０５０）、移動局１００の移動速度がハンドオーバ制御用の所定速度Ｖｓｈより小さいか否かを判定する（Ｓ１０６０）。
【００６５】
この場合、ハンドオーバ制御部１１６は、シャドウイング現象と判断し、かつ、移動局１００の移動速度がハンドオーバ制御用の所定速度Ｖｓｈより低速であると判断するので（１０６０：ＹＥＳ）、モニタ状態にある基地局１４０へのハンドオーバ制御を行う（Ｓ１０７０）。これにより、Ｐ３地点にて、移動局１００は、基地局１４０へのハンドオーバにより、基地局１４０と通信することになる。
【００６６】
図８に、移動局１００が高速で移動中の場合にシャドウイング現象が発生した場合のハンドオーバ制御部１１６の動作を示す。なお、図８に示す処理において、図６に示す全体動作と同じ処理には、同じステップ番号を付して説明する。
【００６７】
つまり、移動局１００が高速で移動中の場合に、Ｐ１地点にて、移動局１００が基地局１３０との通信中で、基地局１４０とはモニタ状態にある場合に、Ｐ２地点にて、下り通信品質測定部１１５が下り通信品質に基づいて異常切断が発生する（Ｓ１０３０）。すると、ハンドオーバ制御部１１６は、シャドウイング判定用の所定時間Ｔｓｈと、所定品質Ｑｓｈとに基づいてシャドウイング現象と判断して（Ｓ１０５０）、移動局１００の移動速度がハンドオーバ制御用の所定速度Ｖｓｈより小さいか否かを判定する（Ｓ１０６０）。
【００６８】
この場合、ハンドオーバ制御部１１６は、シャドウイング現象と判断し、かつ、移動局１００の移動速度がハンドオーバ制御用の所定速度Ｖｓｈ以上の高速であると判断する（Ｓ１０６０：ＮＯ）。そのため、通信していた基地局１３０への再接続制御により異常切断を回避できると判断して、モニタ状態にある基地局１４０へのハンドオーバ制御を行わない（Ｓ１０９０，１１００）。これにより、移動局１００は再接続制御により基地局１３０との通信が回復して（Ｓ１１１０）、Ｐ３地点にては、基地局１３０と通信し、基地局１４０はモニタ中となる。
【００６９】
このように、本実施の形態によれば、移動局が任意の基地局との通信中に、高層ビルなどによる物理的な影響で受信電界が急激に変動するシャドウイング現象が発生した場合、移動局の移動速度を考慮したハンドオーバ制御を行うことで、シャドウイング現象発生時の異常切断を減少させることができる。その結果、無線通信システム全体の通信品質を向上させることができると共に、移動局の消費電力を低減させることができる。
【００７０】
なお、本実施の形態では、移動局１００にＧＰＳ受信機１１１を設けて、速度算出部１１４はＧＰＳ受信機１１１からの測位情報、またはベースバンド信号処理部１１２からのベースバンド信号に基づいて選択的に速度を算出させるようにしたが、速度算出部１１４がベースバンド信号のみに基づいて速度を算出することで十分であれば、ＧＰＳ受信機１１１は省略にしても良い。このようにすれば、移動局１００は、ＧＰＳ受信機１１１が不要となるので、その分だけ移動局１００の構成を簡単にすることができる。
【００７１】
また、本実施の形態では、速度算出部１１４が移動局１００の移動速度を算出するようにしたが、通信中の基地局等にて移動局１００の移動速度を算出することが可能であれば、通信中の基地局等から移動局１００へ当該移動局の移動速度を送信するようにしても良い。このようにすれば、移動局１００では、ＧＰＳ受信機１１１だけでなく、速度算出部１１４も省略することが可能となるので、その分だけさらに移動局１００の構成を簡単にすることができる。
【００７２】
また、本実施の形態では、移動局１００に下り通信品質測定部１１５を設けて、下り通信品質測定部１１５が基地局から受信する下り信号の下り通信品質を測定して、基地局との間の通信品質としたが、例えば、今まで通信をしていた基地局が移動局からの上り信号の上り通信品質を計測して、移動局に通知するようにしても勿論よい。このようにすれば、移動局では、通信品質を測定する必要がなくなり、下り通信品質測定部１１５を省略することができ、その分だけ移動局１００の構成を簡単にすることができる。
【００７３】
また、本実施の形態では、ハンドオーバ制御部１１６に位置算出部１１３から移動局１００の位置情報が入力しているので、ハンドオーバ制御部１１６は移動局１００の位置情報を用いてハンドオーバ制御するようにしても良い。つまり、例えば、シャドウイング現象になった位置を予め記憶しておき、または学習して記憶していき、位置情報に基づいてシャドウイング現象の判断を、通信品質に基づく判断の代わりに、あるいは通信品質に基づく判断と共に判断する。このように、通信品質に基づく判断の代わりに位置情報に基づいてシャドウイング現象の判断を行うようにすれば、下り通信品質測定部１１５を省略することができ、その分だけ移動局１００の構成を簡単にすることができるだけでなく、確実にシャドウイング現象を判断することができる。また、通信品質に基づくシャドウイング現象の判断と共に、位置情報に基づいてシャドウイング現象の判断を行うようにすれば、より確実にシャドウイング現象を判断することができる。
【００７４】
また、本実施の形態では、図１に示すように、移動局１００をハードウエアにより構成したが、移動局１００をプログラムの実行により前述のように動作させるようにしても良い。つまり、移動局１００に、前述のように動作させるためのプログラムを予め組み込むことにより、あるいはネットワークを介してサーバ（図示せず）からダウンロードしてメモリ等に格納して、さらにはＣＤ−ＲＯＭやメモリカード等の記録媒体からインストールしてメモリ等に格納して、そのプログラムを実行することにより、前述のハンドオーバ制御を行う。
【００７５】
このように移動局１００の機能をプログラムによりソフトウエア的に達成するようにすれば、シャドウイング現象発生時の異常切断を減少させることができるだけでなく、自由な無線通信制御が可能になり、移動通信システムの仕様変更等が発生した場合にも、柔軟な設計変更が可能になる。また、記録媒体に不揮発性の性質をもつ不揮発性記録媒体を使用することにより、設計変更等により再度記録媒体へのプログラムの書き込みが必要になった場合でも、ユーザーが何回でも書き直して修正したり、更新をすることが容易に実現できる。
【産業上の利用可能性】
【００７６】
本発明に係る通信端末装置は、基地局と通信端末装置との間の通信品質に基づくシャドウイング現象判定結果と、通信端末装置の移動速度に基づいてハンドオーバ制御を行うことにより、シャドウイング現象が発生した場合でも、呼切断に至る場合を少なくすることができるという作用効果を有し、シャドウイング現象発生時の異常切断を減少させ、移動通信システム全体の通信品質の向上を図り、また、通信端末装置の消費電力を低減させることのできる通信端末装置として有用である。
【図面の簡単な説明】
【００７７】
【図１】本発明の一実施の形態に係る通信端末装置を含む移動通信システムの構成を示すブロック図
【図２】低速で移動中の通信端末装置と基地局との通信状態を説明するための図
【図３】高速で移動中の通信端末装置と基地局との通信状態を説明するための図
【図４】シャドウイング判定用のパラメータを説明するための図
【図５】移動速度判定用のパラメータを説明するための図
【図６】本実施の形態の通信端末装置の動作を示すフローチャート
【図７】通信端末装置が低速で移動中の場合におけるハンドオーバ制御の処理手順を示すシーケンス図
【図８】通信端末装置が高速で移動中の場合におけるハンドオーバ制御の処理手順を示すシーケンス図
【符号の説明】
【００７８】
１００  移動局（通信端末装置）
１１０  送受信部
１１１  ＧＰＳ受信機（ＧＰＳ受信手段）
１１２  ベースバンド信号処理部
１１３  位置算出部
１１４  速度算出部（検出手段）
１１５  下り通信品質測定部（測定手段）
１１６  ハンドオーバ制御部（判定手段、ハンドオーバ制御手段）
１１７  ハンドオーバ制御用パラメータ記憶装置
１１８  シャドウイング判定用パラメータ記憶装置
１３０、１４０  基地局
【図１】
2005244726.tif 000003
【図２】
2005244726.tif 000004
【図３】
2005244726.tif 000005
【図４】
2005244726.tif 000006
【図５】
2005244726.tif 000007
【図６】
2005244726.tif 000008
【図７】
2005244726.tif 000009
【図８】
2005244726.tif 000010